(57)【要約】【目的】カード側への加工が不要で、且つ、カードの誤挿入を簡単な構成で確実に防ぐことができるカードの誤挿入防止機構を提供すること。【構成】平面形状が一対の長辺と一対の短辺を有する長方形を成し、長辺側がカード挿入口５から挿入されてコネクタに接続されるＣＦカード（カード）７の誤挿入を防止する機構を、前記ＣＦカード７の一対の短辺と嵌合して、ＣＦカード７を前記コネクタまで案内する一対のガイド溝１５と、前記カード挿入口５から挿入されたＣＦカード７をその挿入方向と直交する方向に付勢する付勢手段（板バネと押し当て部材１８）と、前記短辺が前記ガイド溝１５に嵌合しない状態で前記カード挿入口５に挿入されたＣＦカード７に当接して該ＣＦカード７のそれ以上の挿入を阻止するストッパ１６を含んで構成する。【選択図】　　　図１
2004055318.tif 000002
【特許請求の範囲】
【請求項１】
平面形状が一対の長辺と一対の短辺を有する長方形を成し、長辺側がカード挿入口から挿入されてコネクタに接続されるカードの誤挿入を防止する機構であって、
前記カードの一対の短辺と嵌合して、カードを前記コネクタまで案内する一対のガイド溝と、前記カード挿入口から挿入されたカードをその挿入方向と直交する方向に付勢する付勢手段と、前記短辺が前記ガイド溝に嵌合しない状態で前記カード挿入口に挿入されたカードに当接して該カードのそれ以上の挿入を阻止するストッパを含んで構成されることを特徴とするカードの誤挿入防止機構。
【請求項２】
前記付勢手段は、前記短辺が前記ガイド溝に嵌合しない状態で前記カード挿入口に挿入されたカードが前記ストッパに当接するように付勢することを特徴とする請求項１記載のカードの誤挿入防止機構。
【請求項３】
前記ストッパをカード挿入方向に対して前記コネクタよりも手前側に配置したことを特徴とする請求項１又は２記載のカードの誤挿入防止機構。
【請求項４】
前記付勢手段をカード挿入方向に対して前記ストッパよりも手前側に配置したことを特徴とする請求項１〜３の何れかに記載のカードの誤挿入防止機構。
【請求項５】
前記付勢手段を前記カードの挿入側の辺の略中心部を付勢する位置に配置したことを特徴とする請求項１〜４の何れかに記載のカードの誤挿入防止機構。
【請求項６】
前記付勢手段を弾性部材で構成したことを特徴とする請求項１〜５の何れかに記載のカードの誤挿入防止機構。
【発明の詳細な説明】
【０００１】
【発明の属する技術分野】
本発明は、コンパクトフラッシュ（Ｒ）カード等の外部記憶装置を専用のコネクタや、そのコネクタを備えたホスト装置に挿入する際に、その誤挿入を防止するための機構に関する。
【０００２】
【従来の技術】
外部記憶装置としてＩＣカードは半導体記憶素子をカード状にパッケージングしたものであるが、従来のＩＣカードよりも厚さが厚くて記憶容量の大きなコンパクトフラッシュカード（以下、ＣＦカードと略称する）が実用化されるに至っている。
【０００３】
ところで、近年、ＣＦカード専用のコネクタをパソコンやプリンタ等のホスト装置に設け、ＣＦカードをそのコネクタに直接差し込んで使用する形態が増えている。
【０００４】
ここで、例えばＣＦカードの構成の概略を図１５に斜視図にて示すが、ＣＦカードは、そのディメンジョンがＣＦＡ（Ｃｏｍｐａｃｔ　Ｆｌａｓｈ　Ａｓｓｏｃｉａｔｉｏｎ　）規格によって規定されており、平面形状が一対の長辺と一対の短辺を有する長方形を成すカード状に構成されている。
【０００５】
即ち、図示のＣＦカード７は、樹脂等にて略矩形枠状に成形されたフレーム７ａと、該フレーム７ａを上下から挟むようにように接着された略矩形の金属製シールド板７ｂと、長辺側の一端面に組み込まれた樹脂製のコネクタ７ｃを含んで構成されており、コネクタ７ｃの端面には１列当たり２５極のソケットコンタクト７ｄが長辺方向に２列に亘って計５０極配設されている。ここで、各ソケットコンタクト７ｄは、コネクタ７ｃの端面に対して垂直方向に穴状に形成され、その内部には、不図示の半導体素子と電気的に接続された端子（不図示）が設けられている。
【０００６】
尚、ＣＦカード７の短辺側の端面には、当該ＣＦカード７がホスト装置側コネクタに表裏を逆にして誤挿入されるのを防ぐための互いに形状が異なる溝７ｅ，７ｆがそれぞれ形成されている。
【０００７】
而して、以上の構成を要するＣＦカード７は、コネクタ７ｃが設けられた長辺側を先にしてホスト装置のカード挿入口から差し込まれてホスト装置側コネクタに挿入される。そして、このＣＦカード７のコネクタ７ｃに配設された前記ソケットコンタクト７ｄとホスト装置側コネクタに配設された不図示のコンタクトピンとがそれぞれ嵌合して両者が電気的に接触し、ＣＦカード７とホスト装置とが電気的に接続される。その結果、ホスト装置はＣＦカード７に記憶されている情報を読み込んだり、情報をＣＦカード７に書き込んだりできるのである。
【０００８】
【発明が解決しようとする課題】
ところで、使用者がＣＦカード７をホスト装置のカード挿入口に差し込む場合、該ＣＦカード７を誤って表裏を逆にした状態で挿入しようとしても、その短辺側端面に形成された溝７ｅ，７ｆによってそれが防がれる。しかし、使用者が誤ってＣＦカード７を短辺側からホスト装置のカード挿入口に挿入した場合、従来はこれを阻止する手だてがなく、このような場合はＣＦカード７とホスト装置との電気的な接続が不可能となるばかりか、ホスト装置側コネクタのコンタクトピンがＣＦカード７の短辺側によって強く押されて損傷する等の問題が発生する。ホスト装置側コネクタのコンタクトピンが損傷すれば、ＣＦカード７とホスト装置とは二度と電気的に接続することができなくなるので、ホスト装置側コネクタの修理や交換が必須となる。このような問題はカード挿入口にＣＦカード７を差し込む時にＣＦカード７が見えにくい場合に発生しやすい。
【０００９】
そこで、特開２０００−２９３６３６号公報には、突起を有する阻止部材を筐体内の筐体通路内に回動自在に設け、カード挿入口からカード通路内に正規のカードが挿入されたときだけ、このカードが突起に当接して阻止部材を押し上げてカード通路を通過することができ、それ以外のカードや硬貨等の異物が挿入されたときには、これらを阻止部材に直接当接させてそれ以上の挿入を阻止するようにした装置が提案されている。
【００１０】
ところが、上記装置においては、例えばＣＦカードを誤って短辺側から挿入した場合であっても、その一部が突起に当接すれば阻止部材は退避してＣＦカードの挿入を許容してしまうという虞がある。
【００１１】
又、特開平７−８９２８２号公報には、ＩＣカードの短辺側からの誤挿入を防止する手段として、ＩＣカード側に誤挿入防止孔を形成し、ホスト装置側コネクタに誤挿入防止ピンを設ける構成が提案されているが、この構成ではＩＣカードとホスト装置側コネクタの双方に加工を要し、構造が複雑化するという問題がある。
【００１２】
本発明は上記問題に鑑みてなされたもので、その目的とする処は、カード側への加工が不要で、且つ、カードの誤挿入を簡単な構成で確実に防ぐことができるカードの誤挿入防止機構を提供することにある。
【００１３】
【課題を解決するための手段】
上記目的を達成するため、請求項１記載の発明は、平面形状が一対の長辺と一対の短辺を有する長方形を成し、長辺側がカード挿入口から挿入されてコネクタに接続されるカードの誤挿入を防止する誤挿入防止機構を、前記カードの一対の短辺と嵌合して、カードを前記コネクタまで案内する一対のガイド溝と、前記カード挿入口から挿入されたカードをその挿入方向と直交する方向に付勢する付勢手段と、前記短辺が前記ガイド溝に嵌合しない状態で前記カード挿入口に挿入されたカードに当接して該カードのそれ以上の挿入を阻止するストッパを含んで構成したことを特徴とする。
【００１４】
請求項２記載の発明は、請求項１記載の発明において、前記付勢手段は、前記短辺が前記ガイド溝に嵌合しない状態で前記カード挿入口に挿入されたカードが前記ストッパに当接するように付勢するものとしたことを特徴とする。
【００１５】
従って、請求項１及び２記載の発明によれば、カードが誤って短辺側から挿入された場合には、カードの短辺がガイド溝に嵌合しないために該カードは付勢手段による付勢力によって挿入方向と直交する方向に変位し、これを更に押し込むとその先端部がストッパに当接してそれ以上の挿入が阻止されるため、カードの短辺側からの誤挿入が確実に防がれる。そして、この場合、カードには何ら加工を要しないため、簡単な構成でカードの誤挿入を防ぐことができる。尚、カードが長辺側から正規に挿入される場合には、短辺がガイド溝に嵌合してその位置が規制されるため、該カードに付勢手段による付勢力が作用しても、カードはガイド溝に沿ってコネクタまで正規に案内されてコネクタに確実に接続される。
【００１６】
請求項３記載の発明は、請求項１又は２記載の発明において、前記ストッパをカード挿入方向に対して前記コネクタよりも手前側に配置したことを特徴とする。
【００１７】
従って、請求項３記載の発明によれば、誤挿入されたカードはコネクタの手前でその挿入がストッパによって阻止されるため、コネクタ側のコンタクトピンのカードによる損傷が確実に防がれる。
【００１８】
請求項４記載の発明は、請求項１〜３の何れかに記載の発明において、前記付勢手段をカード挿入方向に対して前記ストッパよりも手前側に配置したことを特徴とする。
【００１９】
従って、請求項４記載の発明によれば、誤挿入されたカードは少なくともストッパに当接する以前に付勢手段によって付勢されてストッパ側に変位するため、該カードはストッパに確実に当接してそれ以上の侵入が確実に阻止される。
【００２０】
請求項５記載の発明は、請求項１〜４の何れかに記載の発明において、前記付勢手段を前記カードの挿入側の辺の略中心部を付勢する位置に配置したことを特徴とする。
【００２１】
従って、請求項５記載の発明によれば、カードはその挿入側の辺の略中心部が付勢手段によって付勢されるため、誤挿入されたカードが大きく傾くことなくストッパに確実に当接し、それ以上の侵入がストッパによって阻止される。
【００２２】
請求項６記載の発明は、請求項１〜５の何れかに記載の発明において、前記付勢手段を弾性部材で構成したことを特徴とする。
【００２３】
従って、請求項６記載の発明によれば、付勢手段を例えば金属製の板バネ等の弾性部材で簡単に構成することができる。
【００２４】
【発明の実施の形態】
以下に本発明の実施の形態を添付図面に基づいて説明する。
【００２５】
図１は本発明に係るカードの誤挿入防止機構を備えるメディアボックスの正面図、図２は同メディアボックスの側面図、図３は同メディアボックスを斜め上方から見た斜視図、図４は同メディアボックスを斜め下方から見た斜視図、図５は同メディアボックスのカード挿入口部分の拡大正面図、図６は図５のＡ−Ａ線断面図、図７は誤挿入防止機構の構成を示す斜視図である。図１６は同メディアボックスが搭載された多機能装置を示す斜視図である。図１７は、同多機能装置の正面図である。
【００２６】
図１〜図４に示すメディアボックス１は、パソコンやプリンタ等のホスト装置に組み込まれるものであって、図示のように断面Ｌ字状に屈曲成形された左右一対の板金製フレーム２の前面に樹脂製のメディアカバー３、後面に平板状の後面カバー４をそれぞれ取り付けて略矩形ボックス状に構成されている。本実施の形態では、メディアボックス１は、図１６及び図１７に記載の多機能装置１００の前面に組み込まれている。この多機能装置１００は、電話機能、ファクシミリ機能、プリンタ機能、コピー機能、スキャナ機能など各種機能を備えており、単独でも各種機能を実行できるが、パソコン等に接続しても使用され得るものである。図１７から明らかな通り、メディアボックス１は、多機能装置１００の正面における左下方部に配置されている。
【００２７】
メディアボックス１の前面に位置する上記メディアカバー３は、ホスト装置の前面形状に沿って凹状に屈曲成形され、その背面の四隅に突設された円柱状のボス３ａを左右一対の前記フレーム２の前部に形成されたブラケット２ａに取り付けることによってフレーム２に支持されている。
【００２８】
ところで、メディアカバー３の正面には、図１に示すように、縦長の矩形スリット状の大小３つのカード挿入口５，６，２０が左右に並設されているが、大きなカード挿入口５はＣＦカード７（詳細な構成は図１５参照）を挿入するためのものであり、小さなカード挿入口６はＣＦカード７よりも小さくて薄いメモリスティック（Ｒ）８を挿入するためのものである。又、幅の狭いカード挿入口２０は、スマートメディア（Ｒ）２１を挿入するためのものである。更に、カード挿入口６の略下方には、ＬＥＤからなるアクセスランプ２２が配設されており、ＣＦカード７、メモリスティック８、スマートメディアのうちいずれかが多機能装置１００によりアクセスされている場合には点灯する構成となっている。
【００２９】
ここで、メモリスティック８やスマートメディア２１のように、短辺側が正規挿入側であって、その片面にのみ平板状電気接触部があるものについては特に誤挿入防止機構を設ける必要はない。これらを誤挿入しても、それ自体及びコネクタも破壊されることがないためである。
【００３０】
しかし、図７に示すＣＦカード７のように長辺側が正規挿入側であって、正規の面にのみ本体コネクタ１１側のコンタクトピン１２と係合する穴状のソケットコンタクト７ｄを有するものでは、短辺側から誤挿入された場合に、コンタクトピン１２が損傷する虞があるため、該ＣＦカード７の誤挿入を防ぐための誤挿入防止機構が必要となる。即ち、使用者が床上や低い机上等に多機能装置１００を置いて使用していると、上述した通り、メディアボックス１は多機能装置１００の正面における左下方部に配置されているので、使用者がＣＦカード７のカード挿入口６を覗き込むことは困難である。従って、カード挿入口６の奥に存在するコンタクトピン１２を視認することができず、ＣＦカード７を誤った方向から挿入してしまう虞があるのである。
【００３１】
又、図２、図４、図６及び図７に示すように、メディアボックス１内のメディアカバー３の奥側には、前記ＣＦカード７とメモリスティック８及びスマートメディア２１がそれぞれ差し込まれて装着されるソケット９が収容されており、該ソケット９には半導体素子基板１０が取り付けられている。又、図７に示すように、ソケット９の内部には、コネクタ１１に突設された複数（本実施の形態では、ＣＦカード７のコネクタ７ｃに形成されたソケットコンタクト７ｄ（図１２参照）と同数の５０個）のコンタクトピン１２が臨んでいる。
【００３２】
ここで、図５〜図７に詳細に示すように、メディアカバー３の前記カード挿入口５に連なるカード挿入通路の四隅には突起状のガイド部１３，１４が形成されている。即ち、正面視でカード挿入通路の左隅上下には一対のガイド部１３が形成され、右隅上下には一対のガイド部１４が形成されており、カード挿入通路の上下には、ＣＦカード７の一対の短辺と嵌合して該ＣＦカード７を前記コネクタ１１まで案内する一対のガイド溝１５が左右のガイド部１３，１４によって形成されている。尚、カード挿入口５及びこれに連なるカード挿入通路の高さ寸法はＣＦカード７の長辺の長さよりも若干大きく設定されており、上下一対の前記ガイド溝１５の幅寸法はＣＦカード７の厚さよりも若干大きく設定されている。
【００３３】
他方、図５〜図７に示すように、メディアカバー３に形成された上下一対の前記ガイド部１４の奥側であって、前記コネクタ１１の手前側（ＣＦカード７の挿入方向に対して手前側）には、ガイド部１４と同幅の段状のストッパ１６が形成されており、このストッパ１６の高さ（上下のガイド部１４間の距離）はＣＦカード７の短辺の長さより大きく設定され、カード挿入口５に誤って短辺側から挿入されたＣＦカード７が上下のガイド部１４の間を通過し得るよう構成されている。
【００３４】
又、メディアカバー３には、カード挿入口５から挿入されたＣＦカード７をその挿入方向に対して直交する方向（本実施の形態では、前記ストッパ１６に向かう正面視右方向）に付勢するための付勢手段としての板バネ１７とその先部に取り付けられた押し当て部材１８が設けられている。
【００３５】
ここで、上記板バネ１７はＬ字状に屈曲された金属バネであって、図３に示すように、その水平部の２箇所がリベット１９によってメディアカバー３の上面に取り付けられ、下方に略直角に折り曲げられた垂直部の自由端には樹脂製の前記押し当て部材１８が取り付けられている。ここで、押し当て部材１８は、メディアカバー３の側壁に形成された切欠部３ｂ（図２参照）を貫通して図１及び図５に示すようにカード挿入通路に臨んでいる。
【００３６】
ところで、本実施の形態では、図２に示すように、メディアカバー３の形状が特殊である事情から押し当て部材１８の位置が上方に偏っているが、理想的には、図８に示すように、押し当て部材１８の位置はＣＦカード７の挿入側の辺（ＣＦカード７が長辺側から正規に挿入された場合には長辺、誤って短辺側から挿入された場合には短辺）の略中心部を付勢するようその位置が設定されるべきである。尚、この押し当て部材１８は、これに当接するＣＦカード７を保護するために金属よりも柔軟な樹脂で構成され、又、挿入されたＣＦカード７に当接して退避し得るようにその先端はテーパ状に成形されている（図６参照）。
【００３７】
そして、板バネ１７と押し当て部材１８によって構成される付勢手段は、図６に示すように、前記ストッパ１６よりも手前側（ＣＦカード７の挿入方向に対して手前側）に配置されている。
【００３８】
而して、本発明に係る誤挿入防止機構は、前記上下一対のガイド溝１５と、板バネ１７と押し当て部材１８によって構成される付勢手段及びストッパ１６を含んで構成されるが、その作用を図１１〜図１４に基づいて説明する。尚、図１１はＣＦカードが長辺側から正規に挿入されたときの状態を示すカード挿入口部分の正面図、図１２は図１１のＢ−Ｂ線断面図、図１３はＣＦカードが短辺側から誤挿入されたときの状態を示すカード挿入口部分の正面図、図１４は図１３のＣ−Ｃ線断面図である。
【００３９】
ＣＦカード７がカード挿入口５に長辺側から正規に挿入される場合には、図１１に示すように、該ＣＦカード７の上下一対の短辺が上下のガイド溝１５に嵌合する。この状態でＣＦカード７を奥側に押し込むと、その先端部が付勢手段の押し当て部材１８に当接してこれを退避せしめ、該ＣＦカード７は板バネ１７からの付勢力を押し当て部材１８を介して受け、その挿入方向と直交する方向（正面視右方向）に付勢されるが、ＣＦカード７はガイド溝１５によってその位置が規制されているため、図１２に示すように、ＣＦカード７はガイド溝１５に沿ってコネクタ１１まで正規に案内されて該コネクタ１１に確実に接続される。
【００４０】
即ち、ＣＦカード７の先端面である長辺側の端面に形成された複数のソケットコンタクト７ｄ（図７及び図１５参照）がコネクタ１１に配設されたコンタクトピン１２とがそれぞれ嵌合して両者が電気的に接触し、ＣＦカード７とホスト装置とが電気的に接続されてＣＦカード７に記憶されている情報が読み込まれたり、情報がＣＦカード７に書き込まれたりする。
【００４１】
尚、ＣＦカード７の短辺側の端面には、図１５に示すように、互いに形状が異なる溝７ｅ，７ｆがそれぞれ形成されているため、当該ＣＦカード７がカード挿入口５に表裏を逆にした状態で誤挿入されることはない。
【００４２】
他方、図１３に示すように、ＣＦカード７が誤って短辺側からカード挿入口５に挿入された場合には、ＣＦカード７の短辺がガイド溝１５に嵌合しないために該ＣＦカード７は板バネ１７による付勢力によって挿入方向と直交する正面視右方向に変位してカード挿入通路の内側端面に当接する。即ち、ＣＦカード７の短辺が上下のガイド部１４の間に嵌合された状態である。そして、この状態でＣＦカード７を更に押し込むと、その短辺側の先端部がその奥に位置するストッパ１６に当接してそれ以上の挿入が阻止されるため、ＣＦカード７の短辺側からの誤挿入が確実に防がれる。
【００４３】
而して、本発明に係る誤挿入防止機構によれば、ＣＦカード７には何ら加工を要しないため、簡単な構成でＣＦカード７の誤挿入を防ぐことができる。
【００４４】
そして、本実施の形態では、前述のようにストッパ１６をカード挿入方向に対してコネクタ１１よりも手前側に配置したため、誤挿入されたＣＦカード７はコネクタ１１の手前でその挿入がストッパ１６によって阻止されることとなり、コネクタ１１のコンタクトピン１２のＣＦカード７による損傷が確実に防がれる。
【００４５】
又、本実施の形態では、板バネ１７を含んで構成される付勢手段をカード挿入方向に対してストッパ１６よりも手前側に配置したため、誤挿入されたＣＦカード７は少なくともストッパ１６に当接する以前に付勢手段によって付勢されてストッパ１６側に変位することとなり、該ＣＦカード７はストッパ１６に確実に当接してそれ以上の侵入が確実に阻止される。
【００４６】
ところで、図８に示すように、付勢手段をその押し当て部材１８がＣＦカード７の挿入側の辺の略中心部を付勢する位置に配置すれば、ＣＦカード７はその挿入側の辺の略中心部が付勢手段によって付勢されることとなり、誤挿入されたＣＦカード７がカード挿入通路内で大きく傾くことがなく、該ＣＦカード７はストッパ１６に確実に当接してそれ以上の侵入が確実に阻止される。
【００４７】
尚、本実施の形態では、挿入されたＣＦカード７を単一の付勢手段によって付勢する構成を採用したが、図９に示すように付勢手段を複数設けても良い。又、面圧やＣＦカード７の姿勢変化等を抑える観点から、ＣＦカード７に当接してこれを付勢する押し当て部材１８のＣＦカード７への接触面積は可及的に大きい方が望ましく、例えば図１０に示すように、押し当て部材１８の高さ寸法を拡大してこれのＣＦカード７への接触面積を大きくすることができる。
【００４８】
その他、本実施の形態では、付勢手段を弾性部材である金属製板バネ１７を含んで構成したため、該付勢手段を簡単に構成することができる。
【００４９】
尚、以上の実施の形態では、特にＣＦカードの誤挿入を防ぐための誤挿入防止機構について説明したが、本発明に係る誤挿入防止機構は他の任意のカードの誤挿入防止に対しても同様に有効であることは勿論である。
【００５０】
【発明の効果】
以上の説明で明らかなように、請求項１及び２記載の発明によれば、カードが誤って短辺側から挿入された場合には、カードの短辺がガイド溝に嵌合しないために該カードは付勢手段による付勢力によって挿入方向と直交する方向に変位し、これを更に押し込むとその先端部がストッパに当接してそれ以上の挿入が阻止されるため、カードの短辺側からの誤挿入を確実に防ぐことができるという効果が得られる。そして、この場合、カードには何ら加工を要しないため、簡単な構成でカードの誤挿入を防ぐことができる。
【００５１】
請求項３記載の発明によれば、誤挿入されたカードはコネクタの手前でその挿入がストッパによって阻止されるため、コネクタ側のコンタクトピンのカードによる損傷が確実に防がれるという効果が得られる。
【００５２】
請求項４記載の発明によれば、誤挿入されたカードは少なくともストッパに当接する以前に付勢手段によって付勢されてストッパ側に変位するため、該カードはストッパに確実に当接してそれ以上の侵入が確実に阻止されるという効果が得られる。
【００５３】
請求項５記載の発明によれば、カードはその挿入側の辺の略中心部が付勢手段によって付勢されるため、誤挿入されたカードが大きく傾くことなくストッパに確実に当接し、それ以上の侵入がストッパによって阻止されるという効果が得られる。
【００５４】
請求項６記載の発明によれば、付勢手段を例えば金属製の板バネ等の弾性部材で簡単に構成することができるという効果が得られる。
【図面の簡単な説明】
【図１】本発明に係るカードの誤挿入防止機構を備えるメディアボックスの正面図である。
【図２】本発明に係るカードの誤挿入防止機構を備えるメディアボックスの側面図である。
【図３】本発明に係るカードの誤挿入防止機構を備えるメディアボックスを斜め上方から見た斜視図である。
【図４】本発明に係るカードの誤挿入防止機構を備えるメディアボックスを斜め下方から見た斜視図である。
【図５】本発明に係るカードの誤挿入防止機構を備えるメディアボックスのカード挿入口部分の拡大正面図である。
【図６】図５のＡ−Ａ線断面図である。
【図７】本発明に係るカードの誤挿入防止機構の構成を示す斜視図である。
【図８】本発明に係るカードの誤挿入防止機構の別形態を示すメディアボックスのカード挿入口部分の拡大正面図である。
【図９】本発明に係るカードの誤挿入防止機構の別形態を示すメディアボックスのカード挿入口部分の拡大正面図である。
【図１０】本発明に係るカードの誤挿入防止機構の別形態を示すメディアボックスのカード挿入口部分の拡大正面図である。
【図１１】ＣＦカードが長辺側から正規に挿入されたときの状態を示すカード挿入口部分の正面図である。
【図１２】図１１のＢ−Ｂ線断面図である。
【図１３】ＣＦカードが短辺側から誤挿入されたときの状態を示すカード挿入口部分の正面図である。
【図１４】図１３のＣ−Ｃ線断面図である。
【図１５】ＣＦカードの斜視図である。
【図１６】本発明に係るカードの誤挿入防止機構を備えるメディアボックスが搭載された多機能装置を示す斜視図である。
【図１７】図１６の多機能装置の正面図である。
【符号の説明】
１　　　　　メディアボックス
３　　　　　メディアカバー
５，６　　　カード挿入口
７　　　　　コンパクトフラッシュカード（ＣＦカード）
８　　　　　メモリスティック
９　　　　　ソケット
１１　　　　コネクタ
１２　　　　コンタクトピン
１３，１４　ガイド部
１５　　　　ガイド溝
１６　　　　ストッパ
１７　　　　板バネ（付勢手段）
１８　　　　押し当て部材
【図１】
2004055318.tif 000003
【図２】
2004055318.tif 000004
【図３】
2004055318.tif 000005
【図４】
2004055318.tif 000006
【図５】
2004055318.tif 000007
【図６】
2004055318.tif 000008
【図７】
2004055318.tif 000009
【図８】
2004055318.tif 000010
【図９】
2004055318.tif 000011
【図１０】
2004055318.tif 000012
【図１１】
2004055318.tif 000013
【図１２】
2004055318.tif 000014
【図１３】
2004055318.tif 000015
【図１４】
2004055318.tif 000016
【図１５】
2004055318.tif 000017
【図１６】
2004055318.tif 000018
【図１７】
2004055318.tif 000019